(57)【要約】【課題】  従来の掻取り具は、無端ベルトが切れやすく、また貝が破損したりすることもあった。【解決手段】  本件出願の掻取り具は、回転軸を取付け可能な取付け体の外周部分に、多数個の掻取り体を取付けたものである。また、回転軸を取付け可能な又は回転軸を一体に成形した回転ドラムの外側面に、所定間隔で多数個の掻取り体を取付けたものである。前記の掻取り具において、掻取り体の先端側をその回転方向と同じ方向又は逆方向に傾斜させ、掻取り体の傾斜をすべて同じ向きに又は一部の向きを逆にして向きを混在させて取付けることもできる。更に、掻取り体の先端側の傾斜角度を全て同じであるか又は異なるか、又は一部が異なるようにすることもできる。また、本件出願の貝表面清浄機の掃除具は、前記掻取り具を回転軸に取り付けたものである。【選択図】図１
2006043644.tif 000002
【特許請求の範囲】
【請求項１】
回転しながら貝の表面に接触してその表面を清浄する貝表面清浄機の掃除具用の掻取り具において、回転軸を取付け可能な取付け体の外周部分に所望数の掻取り体が、外周方向に間隔をあけて取付けられ、掻取り体は貝の表面の付着物を除去可能であることを特徴とする掻取り具。
【請求項２】
請求項１記載の掻取り具において、取付け体が弾性材製であり、外周寄りに開口部が取付け体の周方向に間隔をあけて開口されて取付け体の外周部に弾性が付与され、その外周部に掻取り体が取付けられたことを特徴とする掻取り具。
【請求項３】
請求項１記載の掻取り具において、取付け体が弾性材製であり、外周寄りに多数枚の羽根が放射状に形成されて夫々の羽根に弾性が付与され、夫々の羽根に掻取り体が羽根の先に突出するように取付けられたことを特徴とする掻取り具。
【請求項４】
請求項１記載の掻取り具において、取付け体の外周面に多数本のバネが放射状に設けられ、夫々のバネに掻取り体が取付けられたことを特徴とする掻取り具。
【請求項５】
請求項１記載の掻取り具において、取付け体の外周面にそれと別材で形成された弾性のある突起が放射状に取付けられ、夫々の突起に掻取り体が取付けられたことを特徴とする掻取り具。
【請求項６】
請求項１乃至請求項５のいずれかに記載の掻取り具において、掻取り体の先端側がその回転方向と同じ方向又は逆方向に傾斜し、掻取り体の傾斜がすべて同じ向きに又は一部の向きが逆になって向きが混在して取付けられたことを特徴とする掻取り具。
【請求項７】
請求項１乃至請求項６のいずれかに記載の掻取り具において、掻取り体の先端側の傾斜角度が全て同じであるか又は異なるか、又は一部が異なることを特徴とする掻取り具。
【請求項８】
請求項１乃至請求項７のいずれかに記載の掻取り具において、取付け体が円盤状、多角形の盤状であるか、ベルトであることを特徴とする掻取り具。
【請求項９】
回転しながら貝の表面に接触してその表面を清浄する貝表面清浄機の掃除具用の掻取り具において、回転ドラムの外側面に所望個数の掻取り体が間隔をあけて取付けられたことを特徴とする掻取り具。
【請求項１０】
請求項９記載の掻取り具において、突起が回転ドラムに備えられ、それら突起の先端が掻取り体であるか、それら突起の先端に突起と別体に形成された掻取り体が取付けられたことを特徴とする掻取り具。
【請求項１１】
請求項９記載の掻取り具において、回転ドラムの外側面が、多数本の突起が突設されたシートで被覆され、回転ドラムの外側面にその突起が突設され、それら突起の先端が掻取り体であるか、それら突起の先端に突起と別体に形成された掻取り体が取付けられたことを特徴とする掻取り具。
【請求項１２】
請求項９記載の掻取り具において、回転ドラムの外側面に多数本の金属製の掻取り体が取付けられたことを特徴とする掻取り具。
【請求項１３】
請求項９乃至請求項１２のいずれかに記載の掻取り具において、掻取り体の先端側がその回転方向と同じ方向又は逆方向に傾斜し、掻取り体の傾斜がすべて同じ向きに又は一部の向きが逆になって向きが混在して取付けられたことを特徴とする掻取り具。
【請求項１４】
請求項９乃至請求項１２のいずれかに記載の掻取り具において、掻取り体の先端側の傾斜角度が全て同じであるか又は異なるか、又は一部が異なることを特徴とする掻取り具。
【請求項１５】
請求項１乃至請求項８のいずれかに記載の掻取り具が、多数枚一列に並べて回転軸に取り付けられたことを特徴とする貝表面清浄機の掃除具。
【請求項１６】
請求項１５記載の貝表面清浄機の掃除具において、回転軸に取り付けられた多数枚の掻取り具が、掻取り体の傾斜の向きが一枚おきに代えて取り付けられたことを特徴とする貝表面清浄機の掃除具。
【請求項１７】
請求項９乃至請求項１４のいずれかに記載の掻取り具の回転ドラムが回転ドラムと別の回転軸に取り付けられるか、回転軸が装備されたものであることを特徴とする貝表面清浄機の掃除具。
【発明の詳細な説明】
【技術分野】
【０００１】
本発明は帆立貝等の貝類の殻の表面に付着している藻や海中のごみなどの付着物を、掻き落として除去する貝表面清浄機中の掃除具に用いられる掻取り具と、それを用いた貝表面清浄機の掃除具に関するものである。
【背景技術】
【０００２】
従来の貝表面清浄機は、側面Ｖ字状の貝移動通路内の貝を、貝移送体の回転により貝移動通路の入口側から出口側に移送し、その移送中に、貝移動通路の両外側方に配置された掃除具を回転させて、掃除具の爪を貝表面に接触させて貝表面に付着している付着物を掻き落すようにしたものである（特許文献１参照）。その従来の貝表面清浄機の掃除具に用いられる掻取り具Ａは、図１２に示すように、無端ベルトＢに爪Ｃを備えてなるものであって、二本の回転軸Ｄに所定間隔で取付けられたプーリーＥ間に張設して回転させることができるものである。前記掻取り具Ａを、二本の回転軸Ｄの軸方向に間隔をあけて複数個備えて、掃除具Ｆが形成されている。前記爪Ｃは、図に示すように、無端ベルトＢに鉛直に備えられている。回転軸Ｄを回転させて、掻取り具Ａ及び掻取り具Ａに備えられた爪Ｆを回転させ、貝表面清浄機の、貝移動通路の開口部から内側に爪Ｆを突出させて、貝移動通路内を移動する貝の表面に接触させて、表面付着物を掻き落すようにしてある。
【０００３】
【特許文献１】実公昭５２−４３６７６号公報。
【発明の開示】
【発明が解決しようとする課題】
【０００４】
従来の掻取り具及び掃除具には、次のような課題があった。
（１）無端ベルトＢは切れ易く、しかも無端ベルトＢが切れると交換に手間が掛かり、作業効率が悪く、コスト高にもなる。
（２）爪Ｃが貝に当たる位置や強さが常に同じであるため、貝表面を万遍無く清浄することができなかった。また、貝に爪Ｃが強く当たり過ぎることもあり、無端ベルトＢが切れやすくなったり、貝が破損したりすることもあった。
【課題を解決するための手段】
【０００５】
本発明は、貝を破損させることなく清浄することができ、耐久性に優れ、作業効率が良く、低コストな掻取り具と、それを用いた掃除具を提供するものである。
【０００６】
本件出願の掻取り具の一は、回転しながら貝の表面に接触してその表面を清浄する貝表面清浄機の掃除具用の掻取り具において、回転軸を取付け可能な取付け体の外周部分に所望数の掻取り体を、外周方向に間隔をあけて取付け、掻取り体は貝の表面の付着物を除去可能であるものである。その掻取り具において、取付け体を弾性材製とし、外周寄りに開口部を取付け体の周方向に間隔をあけて開口して取付け体の外周部に弾性を付与し、その外周部に掻取り体を取付けたり、同じく弾性体製の取付け体の外周寄りに多数枚の羽根を放射状に形成して夫々の羽根に弾性を付与し、夫々の羽根に掻取り体を、羽根の先に突出するように取付けたり、取付け体の外周面に多数本のバネを放射状に設け、夫々のバネに掻取り体を取付けたり、取付け体の外周面にそれと別材で形成された弾性のある突起を放射状に取付け、夫々の突起に掻取り体を取付けたりした。また、前記の各掻取り具において、掻取り体の先端側をその回転方向と同じ方向又は逆方向に傾斜させ、掻取り体の傾斜をすべて同じ向きに又は一部の向きを逆にして向きを混在させて取付けることもできる。更に、掻取り体の先端側の傾斜角度を全て同じであるか又は異なるか、又は一部が異なるようにすることもできる。前記取付け体は、円盤状、多角形の盤状であるか、ベルトとした。
【０００７】
本件出願の貝表面清浄機の掃除具の一は、上記各掻取り具を、多数枚一列に並べて回転軸に取り付けたものである。また、回転軸に取り付けた多数枚の掻取り具を、掻取り体の傾斜の向きが一枚おきに代えて取り付けることもできる。
【０００８】
本件出願の掻取り具の他の一は、回転しながら貝の表面に接触してその表面を清浄する貝表面清浄機の掃除具用の掻取り具において、回転ドラムの外側面に所望個数の掻取り体を間隔をあけて取付けたものである。その掻取り具において、突起を回転ドラムに備え、それら突起の先端が掻取り体とする、又は突起の先端に突起と別体に形成した掻取り体を取付けたり、回転ドラムの外側面を、多数本の突起が突設されたシートで被覆し、回転ドラムの外側面にその突起を突設させ、それら突起の先端が掻取り体とする、又はそれら突起の先端に突起と別体に形成された掻取り体を取付けたり、回転ドラムの外側面に多数本の金属製の掻取り体を取付けたりした。前記各掻取り具において、掻取り体の先端側をその回転方向と同じ方向又は逆方向に傾斜させ、掻取り体の傾斜をすべて同じ向きに又は一部の向きを逆にして向きを混在させて取付けることもできる。また、掻取り体の先端側の傾斜角度が全て同じであるか又は異なるか、又は一部が異なるようにすることもできる。
【０００９】
本件出願の貝表面清浄機の掃除具の他の一は、前記各掻取り具の回転ドラムを回転ドラムと別の回転軸に取り付ける、又は回転軸が装備されたものである。
【発明の効果】
【００１０】
本件出願の掻取り具は次のような効果がある。
（１）回転軸を取付けて、回転軸の回転にあわせて回転可能なさせられる取付け体の外周部分に所望数の掻取り体を外周方向に間隔をあけて取付けて、その掻取り体は貝の表面の付着物を除去できるものとしたので、掻取り具を構成する部品が少なく、組み立てるのが容易で便利である。また、損傷しにくく、部品の取り替え等の労力及び費用を減らすことができる。
（２）取付け体を弾性材製とし、外周寄りに開口部を開口して弾性を付与し、外周部に掻取り体を取付けたり、同じく弾性体製の取付け体の外周寄りに多数枚の羽根を放射状に形成して夫々の羽根に弾性を付与し、夫々の羽根に掻取り体を羽根の先に突出するように取付けたり、取付け体の外周面に多数本のバネを放射状に設け、夫々のバネに掻取り体を取付けたり、取付け体の外周面にそれと別材で形成した弾性のある突起を放射状に取付けて夫々の突起に掻取り体を取付けたりした場合には、貝を清浄する際に、取付け体自体又はバネ又は突起の弾性によって、掻取り体が貝に追随するため、貝を万遍無く清浄でき、また、貝の破損も防ぐことができる。
（３）上記取付け体による掻取り具において、掻取り体の先端側をその回転方向と同じ方向又は逆方向に傾斜させ、掻取り体の傾斜をすべて同じ向きに又は一部の向きを逆にして向きを混在させて取付けた場合は、掻取り体が貝に当たる位置や強さを変化させて、貝の破損も防ぐことができる。また、取付け体にかかる負担を減少させることができ、掻取り具の耐久性を向上させることができる。
（４）また、掻取り体の先端側の傾斜角度を全て同じとしたり、全て異なる角度としたり、一部を異なる角度とする等、掻取り体の先端側の傾斜角度を変化させられるので、掻取り体が貝に当たる位置や強さをより細かく変化させることができ、掻取り具の耐久性を向上させることができる。さらに、貝の破損も防ぐことができる。
（５）取付け体を円盤状、多角形の盤状、ベルトとした場合は、構造も簡単で組み立て、修理等が容易となり、また、コスト減にも資する。また特に円盤状、多角形の盤状の場合は、耐久性も高く、掻取り具を長持ちさせることができる。
（６）回転ドラムの外側面に所望個数の掻取り体を間隔をあけて取付けたものとしたので、掻取り具を回転軸に複数個備える必要がなくなり、更に部品が少なくなり、回転軸を挿通させるだけで組立てが可能となり、組立て、分解が容易で便利となる。
（７）突起を回転ドラムに備え、それら突起の先端に突起と別体に形成した掻取り体を取付けたり、回転ドラムの外側面を、多数本の突起が突設されたシートで被覆し、回転ドラムの外側面にその突起を突設させ、それら突起の先端に突起と別体に形成された掻取り体を取付けたり、回転ドラムの外側面に多数本の金属製の掻取り体を取付けたりした場合は、貝表面清浄機の貝移動通路内に掻取り体を確実に突出させることができ、貝を万遍無く清浄することができる。
（８）上記回転ドラムによる掻取り具においても、掻取り体の先端側をその回転方向と同じ方向又は逆方向に傾斜させ、掻取り体の傾斜をすべて同じ向きに又は一部の向きを逆にして向きを混在させて取付けた場合は、掻取り体が貝に当たる位置や強さを変化させて、貝の破損も防ぐことができる。また、取付け体にかかる負担を減少させることができ、掻取り具の耐久性を向上させることができる。
（９）また、同様に掻取り体の先端側の傾斜角度を全て同じとしたり、全て異なる角度としたり、一部を異なる角度とする等、掻取り体の先端側の傾斜角度を変化させられるので、掻取り体が貝に当たる位置や強さをより細かく変化させることができ、掻取り具の耐久性を向上させることができる。また、貝の破損も防ぐことができる。
【００１１】
本件出願の貝表面清浄機の掻取り具は次のような効果がある。
（１）上記取付け体による掻取り具を多数枚一列に並べて回転軸に取付けた場合は、掻取り具一枚単位で交換することができ、修理が容易となる。また、各掻取り具ごとの間隔も調節でき、種々の貝表面清浄機に用いることができる。
（２）また、回転軸に取り付けた多数枚の掻取り具を、掻取り体の傾斜の向きが一枚おきに代えて取り付けた場合、掻取り具一枚おきに掻取り体が貝に接触する強さ及び角度を変化させることができ、貝の破損を防ぐことができる。
（３）上記回転ドラムによる掻取り具の回転ドラムに回転軸を挿通させるだけで組立てが可能となり、組立て、分解が容易で便利となる。また、回転ドラムに回転軸が装備されたものである場合は、掻取り具をそのまま掃除具として用いることができ、組立ての労力をさらに減少させることができる。
【発明を実施するための最良の形態】
【００１２】
（実施形態１）
本発明の掻取り具及び掃除具の実施形態の一例を図１に基づいて詳細に説明する。
本発明の掻取り具１は、図１に示すように、円盤状の取付け体２の外周面に多数個の掻取り体３を取付けたものである。取付け体２はゴム、樹脂等の弾性材により円盤状に一体成形され、その中心に軸取付け孔４が開口され、外周寄りに開口部５を一定間隔で開口して、開口部５の間の連結部６に弾性を付与し、各連結部６の外側にはリング状の外輪部７が形成されている。この外輪部７の外周面に略Ｌ字状の金属製の掻取り体３ａ、３ｂが複数個取付けられている。掻取り体３ａ、３ｂは、ボルトやナット等の固定具によって取付け、更にその上から溶接をしたり、接着剤によって取付けたりする等、任意の手段によって取付けることができる。掻取り体３ａ、３ｂは、その先端部を図１に示す掻取り具１の回転方向（矢印方向）と逆方向に傾斜させたもの（図中３ａ）と、掻取り具１の回転方向と同じ方向に傾斜させたもの（図中３ｂ）とが二個ずつ交互に取付けられている。図１に示す掻取り具１では、回転方向と逆方向に傾斜させた掻取り体３ａと、回転方向と同じ方向に傾斜させた掻取り体３ｂとは、二個ずつ交互に取付けられているが、掻取り体３ａ、３ｂの配置はこれには限られず、全て回転方向に傾斜させたものとしたり、全ていずれの方向にも傾斜させずに直角としたものとしたりする等、回転方向に傾斜させたものと逆方向に傾斜させたものといずれの方向にも傾斜させずに直角としたものとを任意に組み合わせて、任意の配置で取付けることができる。また、掻取り体３ａ、３ｂの傾斜角度も、図に示すように、全て同じとは限らず、全ての掻取り体の傾斜角度を異ならせたり、一部を異ならせたりすることもできる。また、掻取り体３ａ、３ｂの形状も、略Ｌ字状のものには限られず、板状、筒状、チップ状、ブラシ状等、任意の形状のものとすることができる。また、取付け体２の形状は、図に示す円盤状には限られず、盤状であれば、多角形状等、任意の形状とすることもできる。掻取り体３ａ、３ｂの数も、任意とすることができる。また、取付け体２の開口部５の形状、数、大きさ等も、図に示すものには限られず、任意の形状、数、大きさ等とすることができる。
【００１３】
本実施形態の掻取り具１は、一本の回転軸に多数枚の掻取り具１を、軸取付け孔４に回転軸を挿通させて回転軸の軸方向に一列に間隔をあけて取付けて、貝表面清浄機に用いる掃除具を形成することができる。この時、図２に示すように、掃除具３０は、全て回転方向（矢印方向）と逆方向に傾斜させられた掻取り体３ａが取付けられた掻取り具１ａと、全て回転方向に傾斜させられた掻取り体３ｂが取付けられた掻取り具１ｂとを回転軸３１に交互に取付けて形成することもできる。
【００１４】
図１及び図２に示す掻取り具１及び掃除具３０を用いて、帆立貝等の貝の清浄を行う場合を図３（ａ）（ｂ）に基づいて説明する。図３（ａ）に示すように、回転方向（図中矢印方向）と逆方向に傾斜させた掻取り体３ａによって貝Ｓの清浄を行う場合は、掻取り体３ａと貝Ｓの接触角θは鋭角となり、貝Ｓの表面に沿って接触するようにしてある。従って、掻取り体３ａによって、貝Ｓの表面全体の付着物を掻き落として除去できるようにしてある。図３（ｂ）に示すように、回転方向（図中矢印方向）と同じ方向に傾斜させた掻取り体３ｂによって貝Ｓの清浄を行う場合は、掻取り体３ｂと貝Ｓの接触角θは鈍角となり、貝Ｓの表面を削りとるように接触するようにしてある。従って、掻取り体３ａによって、貝Ｓの表面の頑固な付着物を掻き落とせるようにしてある。
【００１５】
（実施形態２）
本発明の掻取り具及び掃除具の実施形態の他の一例を図４に基づいて詳細に説明する。
本発明の掻取り具１は、図４に示すように、取付け体２を、ゴム、樹脂等の弾性材により円盤状に成形し、その外周寄りに多数枚の羽根８を放射状に形成して、中心部に軸取付け孔４を開口し、夫々の羽根８の側面に、板状の金属製の掻取り体３ａ、３ｂを、掻取り体３ａ、３ｂを羽根８の先に突出させてボルトとナット等の固定具で取付け、さらに溶接をして固定したものである。取付け体２と羽根８とは一体成形されている。掻取り体３ａ、３ｂの取付けには接着剤とか他の任意の手段を使用することもできる。掻取り体３ａ、３ｂは、羽根８の側面には限られず、羽根８の任意の場所に取付けることもできる。掻取り体３ａ、３ｂは、その先端部を図４に示す、掻取り具１の回転方向（矢印方向）と逆方向にく字状に傾斜させたもの（図中３ａ）と、掻取り具１の回転方向と同じ方向にく字状に傾斜させたもの（図中３ｂ）とが二個ずつ交互に取付けられている。図４に示す掻取り具１では、回転方向と逆方向に傾斜させた掻取り体３ａと、回転方向と同じ方向に傾斜させた掻取り体３ｂとは、二個ずつ交互に取付けられているが、掻取り体３の配置はこれには限られず、全て回転方向にく字状に傾斜させたものとしたり、全ていずれの方向にも傾斜させずに直板状としたものとしたりする等、回転方向にく字状に傾斜させたものと逆方向にく字状に傾斜させたものといずれの方向にも傾斜させずに直板状としたものとを任意に組み合わせて、任意の配置で取付けることができる。また、掻取り体３ａ、３ｂの傾斜角度も、図に示すように、全て同じとは限らず、全ての掻取り体の傾斜角度を異ならせたり、一部を異ならせたりすることもできる。また、掻取り体３も、板状のものには限られず、Ｌ字状、筒状、チップ状、ブラシ状等、任意の形状のものとすることができる。掻取り体の数も、任意とすることができる。また、取付け体２の形状は、図に示す円盤状には限られず、盤状であれば、多角形状等、任意の形状とすることもできる。また、取付け体２に形成された羽根８の数、形状、長さ等も、図に示すものには限られず、任意の数、形状、長さ等とすることができる。
【００１６】
本実施形態の掻取り具１も、前記実施形態１と同様に、一本の回転軸に多数の掻取り具１を、軸取付け孔４に回転軸を挿通させて回転軸の軸方向に間隔をあけて一列に取付けて、貝表面清浄機に用いる掃除具を形成することができる。
【００１７】
（実施形態３）
本発明の掻取り具及び掃除具の実施形態の他の一例を図５に基づいて詳細に説明する。
本発明の掻取り具１は、図５に示すように、円盤状の取付け体２の外周面に多数本の金属製のコイルバネ９を均一間隔で取付け、各コイルバネ９の先端部にチップ状の掻取り体３を取付けたものである。取付け体２は金属製、樹脂製、ゴム製等の任意の部材を円盤状に成形したものであり、中心に軸取付け孔４が開口されている。コイルバネ９には密巻きして弾性を強くしたものを用いるのが掻取りの面からは望ましいが、任意のコイルバネを用いることができる。また、コイルバネに限らず、板バネなど、任意の弾性体を備えることもできる。また、掻取り体３はチップ状には限らず、板状、突起状、爪状、ブラシ状といった各種形状、構造のものを用いることができる。掻取り体３やコイルバネ９の形状、配置は、図に示すように全て直状のものとすることには限られず、その先端部を図５に示す掻取り具１の回転方向（矢印方向）と同じ方向に傾斜させたものと、掻取り具１の回転方向と逆方向に傾斜させたものとを二個ずつ交互に取付けたり、全て回転方向に傾斜させたものとしたりする等、回転方向に傾斜させたものと逆方向に傾斜させたものといずれの方向にも傾斜させずに直状としたものとを任意に組み合わせて、任意の形状及び配置で取付けることもできる。また、掻取り体３やコイルバネの傾斜角度も、全て同じとは限らず、全ての掻取り体の傾斜角度を異ならせたり、一部を異ならせたりすることもできる。また、掻取り体３の取付け位置も、コイルバネの先端には限られず、コイルバネの側面など、任意の場所に取付けることもできる。また、取付け体２の形状は、図に示す円盤状には限られず、盤状であれば、多角形状等、任意の形状とすることもできる。また、コイルバネ９の数、形状、長さ等も、図に示すものには限られず、任意の数、形状、長さ等とすることができる。
【００１８】
本実施形態の掻取り具１も、前記実施形態１と同様に、一本の回転軸に多数の掻取り具１を、軸取付け孔４に回転軸を挿通させて回転軸の軸方向に間隔をあけて一列に取付けて、貝表面清浄機に用いる掃除具を形成することができる。
【００１９】
（実施形態４）
本発明の掻取り具及び掃除具の実施形態の他の一例を図６に基づいて詳細に説明する。
本発明の掻取り具１は、図６に示すように、金属製の円盤状の取付け体２の外周面に多数本の樹脂製の突起１５を均一間隔で放射状に取付け、中心部に軸取付け孔４を開口し、夫々の突起１５の側面に板状の金属製の掻取り体３ａ、３ｂを突起の先に突出させてボルトとナット等の固定具で取付け、さらに溶接をして固定したものである。本実施形態では、取付け体２と突起１５とは、別個に別材によって成形されている。取付け体２は金属製には限られず、樹脂製等、他の任意の素材を用いることができる。掻取り体３ａ、３ｂの取付け位置は、突起１５の側面には限られず、突起１５の先端など、任意の場所に取付けることができる。突起１５は、樹脂、ゴム等、弾性を有する素材で形成されている。また、突起１５の取付け体２への取付けは、ボルトとナット等の固定具による取付けや、溶接による取付け、接着剤による取付け等、任意の方法によって行うことができる。掻取り体３ａ、３ｂの取付けにも、接着剤とか他の任意の手段を使用することもできる。掻取り体３ａ、３ｂは、その先端部を図６に示す、掻取り具１の回転方向（矢印方向）と逆方向にく字状に傾斜させたもの（図中３ａ）と、掻取り具１の回転方向と同じ方向にく字状に傾斜させたもの（図中３ｂ）とが二個ずつ交互に取付けられている。図６に示す掻取り具１では、回転方向と逆方向に傾斜させた掻取り体３ａと、回転方向に傾斜させた掻取り体３ｂとは、二個ずつ交互に取付けられているが、掻取り体３の配置はこれには限られず、全て回転方向にく字状に傾斜させたものとしたり、全ていずれの方向にも傾斜させずに直板状としたものとしたりする等、回転方向にく字状に傾斜させたものと逆方向にく字状に傾斜させたものといずれの方向にも傾斜させずに直板状としたものとを任意に組み合わせて、任意の配置で取付けることができる。また、掻取り体３ａ、３ｂの傾斜角度も、図に示すように、全て同じとは限らず、全ての掻取り体の傾斜角度を異ならせたり、一部を異ならせたりすることもできる。また、掻取り体３も、板状のものには限られず、Ｌ字状、筒状、チップ状、ブラシ状等、任意の形状のものとすることができる。掻取り体３の数も、任意とすることができる。また、取付け体２の形状は、図に示す円盤状には限られず、盤状であれば、多角形状等、任意の形状とすることもできる。また、取付け体２に取付けられた突起１５の数、形状、長さ等も、図に示すものには限られず、任意の数、形状、長さ等とすることができる。
【００２０】
本実施形態の掻取り具１も、前記実施形態１と同様に、一本の回転軸に多数の掻取り具１を、軸取付け孔４に回転軸を挿通させて回転軸の軸方向に間隔をあけて取付けて、貝表面清浄機に用いる掃除具を形成することができる。
【００２１】
（実施形態５）
本発明の掻取り具及び掃除具の実施形態の他の一例を図７（ａ）（ｂ）に基づいて詳細に説明する。
本発明の掻取り具１は、図７（ａ）に示すように、無端ベルト状の取付けベルト１４の外周面に多数個の略Ｌ字状の金属製の掻取り体３ａ、３ｂを取付けたものである。取付けベルト１４は、ゴム、樹脂等の弾性を有する素材によって形成された無端ベルトであって、図７（ｂ）に示すように、二本の回転軸２０に所定間隔で取付けられたプーリー２１間に張設して回転させることができるものである。掻取り体３ａ、３ｂの取付けは、ボルトやナット等の固定具による取付けや、接着剤による取付けや、溶接による取付け等、任意の手段によって行うことができる。掻取り体３ａ、３ｂは、その先端部を図７（ａ）に示す掻取り具１の回転方向（矢印方向）と逆方向に傾斜させたもの（図中３ａ）と掻取り具１の回転方向と同じ方向に傾斜させたもの（図中３ｂ）とが二個ずつ交互に取付けられている。図７（ａ）に示す掻取り具１では、掻取り体３ａ、３ｂの回転方向と逆方向に傾斜させたもの（図中３ａ）と回転方向に傾斜させたもの（図中３ｂ）とは、二個ずつ交互に取付けられているが、掻取り体３ａ、３ｂの配置はこれには限られず、全て回転方向に傾斜させたものとしたり、全ていずれの方向にも傾斜させずに直角としたものとしたりする等、回転方向に傾斜させたものと逆方向に傾斜させたものといずれの方向にも傾斜させずに直角としたものとを任意に組み合わせて、任意の配置で取付けることができる。また、掻取り体３ａ、３ｂの傾斜角度も、図に示すように、全て同じとは限らず、全ての掻取り体の傾斜角度を異ならせたり、一部を異ならせたりすることもできる。また、掻取り体３も、略Ｌ字状のものには限られず、板状、筒状、チップ状等、任意の形状のものとすることができる。
【００２２】
本実施形態の掻取り具１は、多数の掻取り具１を、二本の回転軸２０の軸方向に所定間隔をあけて多数組取付けられた各プーリー２１間に、図７（ｂ）に示すように張設して貝表面清浄機に用いる掃除具を形成することができる。
【００２３】
（実施形態６）
本発明の掻取り具及び掃除具の実施形態の他の一例を図８（ａ）〜（ｃ）に基づいて詳細に説明する。
本発明の掻取り具１は、図８（ａ）に示すように、両端を蓋１１によって閉塞した円筒状の回転ドラム１０の外側面に、ゴム、樹脂等の弾性を有する多数本の円柱形の突起１２が周方向に放射状に備えられ、その放射状に備えられた突起１２が、回転ドラム１０の軸方向に複数周所定の間隔で備えられており、各突起１２の先端に、図８（ｂ）に示すように、突起１２の径に適合した径の円筒形の掻取り体３が取付けられたものである。前記突起１２は、回転ドラム１０と一体成形することもできる。回転ドラム１０両端の蓋１１の中心には、回転軸を挿通可能な軸取付け孔４が開口されている。もっとも、回転ドラム１０両端の蓋１１には、その中心部分に回転軸の端部を一体成形する又は取付けておき、別途回転軸を挿通させる必要がないようにすることもできる。回転ドラム１０は中空のものが回転させる上では望ましいが、中実のものであってもよい。また、回転ドラム１０の形状は、図８（ａ）に示すものには限られず、多角形状等、任意の形状とすることができる。また、突起１２の数、形状、長さ等も、図に示すものには限られず、任意の数、形状、長さ等とすることができる。各突起１２の取付けは、接着剤やビス止め等、任意の手段によることができる。突起１２は、図８（ａ）（ｂ）に示す円柱形には限られず、図８（ｃ）に示すような角柱状等、任意の形状とすることもできる。その場合は、図８（ｃ）に示すように、突起１２の側面に、板状の金属製の掻取り体３Ａ又は３Ｂを取付けることができる。また、突起１２の先端を、掻取り片３とすることもできる。板状の掻取り体３は、同図に示すように、直板状のもの（図中３Ａ）でも、回転方向にく字状に傾斜させたもの（図中３Ｂ）でも、回転方向と逆方向にく字状に傾斜させたものでもよい。掻取り体３は、図８（ａ）〜（ｃ）に示すものには限られず、チップ状、突起状、ブラシ状等、任意の形状のものとすることができる。
【００２４】
また、突起１２に代えて、コイルバネや、板バネ等、任意の弾性体を備え、その先端に掻取り体３を取付けることもできる。
【００２５】
また、本実施形態の掻取り具も、掻取り体３及び突起１２の形状及び配置は、図８（ａ）に示すものには限られず、その先端部を図８（ａ）に示す掻取り具１の回転方向（矢印方向）と逆方向に傾斜させたものと、掻取り具１の回転方向に傾斜させたものとを、回転ドラム１０の周方向に二個ずつ交互に取付けたり、全て回転方向に傾斜させたものとしたりする等、回転方向に傾斜させたものと逆方向に傾斜させたものといずれの方向にも傾斜させずに直状としたものとを任意に組み合わせて、任意の形状及び配置で取付けることもできる。また、掻取り体の傾斜角度も、全て同じとは限らず、全ての掻取り体の傾斜角度を異ならせたり、一部を異ならせたりすることもできる。
【００２６】
本実施形態の掻取り具１は、軸取付け孔４に回転軸を挿通させて取付けて、貝表面清浄機に用いる掃除具を形成することができる。また、回転ドラム１０の両端の蓋１１に回転軸が一体成形又は取付けられている場合は、掻取り具をそのまま掃除具として貝表面清浄機で用いることもできる。
【００２７】
（実施形態７）
本発明の掻取り具及び掃除具の実施形態の他の一例を図９（ａ）〜（ｃ）、図１０に基づいて詳細に説明する。
本発明の掻取り具１は、図９（ａ）に示すように、両端を蓋１１によって閉塞した円筒状の回転ドラム１０の外側面に、多数本の円柱形の突起１２が一体成形されたゴム、樹脂等の弾性材製のシート１３が巻き付けられ、各突起１２の先端に、図９（ｂ）に示すように、突起１２の径に適合した径の円筒形の掻取り体３が取付けられたものである。回転ドラム１０両端の蓋１１の中心には、回転軸を挿通可能な軸取付け孔４が開口されている。もっとも、回転ドラム１０両端の蓋１１には、その中心部分に回転軸の端部を一体成形し又は取付けておき、別途回転軸を挿通させる必要がないようにすることもできる。回転ドラム１０は中空のものが回転させる上では望ましいが、中実のものであってもよい。また、回転ドラム１０の形状は、図９（ａ）に示すものには限られず、多角形状等、任意の形状とすることができる。前記各突起１２は、図１０に示すように、互いに一定の間隔をあけて縦横に複数列に配置されてシート１３に一体成形されており、シート１３を回転ドラム１０に巻き付けると、各列の突起１２が回転ドラム１０の形状に沿って放射状に備えられ、周方向に放射状に備えられた突起１２が、回転ドラム１０の軸方向に複数周所定の間隔で備えられる。また、突起１２の数、形状、長さ等も、図に示すものには限られず、任意の数、形状、長さ等とすることができる。シート１３の巻き付けは、接着剤やビス止め等、任意の手段によることができる。突起１２は、図９（ａ）（ｂ）に示す円柱形には限られず、図９（ｃ）に示すような角柱状等、任意の形状とすることもできる。その場合は、図９（ａ）に示すように、突起１２の側面に、板状の金属製の掻取り体３Ａ又は３Ｂを取付けることができる。また、突起１２の先端を、掻取り体３とすることもできる。板状の掻取り体３は、同図に示すように、直板状のもの（図中３Ａ）でも、回転方向にく字状に曲げたもの（図中３Ｂ）でも、回転方向と逆方向にく字状に曲げたものでもよい。掻取り体３は、図９（ａ）〜（ｃ）に示すものには限られず、チップ状、突起状、ブラシ状等、任意の形状のものとすることができる。
【００２８】
また、本実施形態の掻取り具も、掻取り体３及び突起１２の形状及び配置は、図９（ａ）に示すものには限られず、その先端部を図９（ａ）に示す掻取り具１の回転方向（矢印方向）と逆方向に曲げたものと、掻取り具１の回転方向に曲げたものとを、回転ドラム１０の周方向に二個ずつ交互に取付けたり、全て回転方向に曲げたものとしたりする等、回転方向に曲げたものと逆方向に曲げたものといずれの方向にも曲げずに直状としたものとを任意に組み合わせて、任意の形状及び配置で取付けることもできる。また、掻取り体３の傾斜角度も、全て同じとは限らず、全ての掻取り体の傾斜角度を異ならせたり、一部を異ならせたりすることもできる。
【００２９】
また、前記突起１２は、シート１３と別個に成形して、シート１３上に取付けることもできる。また、シート１３上に、突起１２に代えて、金属製の板状の掻取り体３を取付けることもできる。
【００３０】
本実施形態の掻取り具１は、軸取付け孔４に回転軸を挿通させて取付けて、貝表面清浄機に用いる掃除具を形成することができる。また、回転ドラム１０の両端の蓋１１に回転軸が一体成形又は取付けられている場合は、掻取り具をそのまま掃除具として貝表面清浄機で用いることもできる。
【００３１】
（実施形態８）
本発明の掻取り具及び掃除具の実施形態の他の一例を図１１（ａ）（ｂ）に基づいて詳細に説明する。
本発明の掻取り具１は、図１１（ａ）に示すように、両端を蓋１１によって閉塞した円筒状の回転ドラム１０の外側面に、図１１（ｂ）に示すように、金属製の板バネ状の掻取り体３が周方向に放射状に備えられ、その放射状に備えられた掻取り体３が、回転ドラム１０の軸方向に複数周所定の間隔で備えられたものである。回転ドラム１０両端の蓋１１の中心には、回転軸を挿通可能な軸取付け孔４が開口されている。もっとも、回転ドラム１０両端の蓋１１には、その中心部分に回転軸の端部を一体成形又は取付けておき、別途回転軸を挿通させる必要がないようにすることもできる。回転ドラム１０は中空のものが回転させる上では望ましいが、中実のものであってもよい。また、回転ドラム１０の形状は、図１１（ａ）に示すものには限られず、多角形状等、任意の形状とすることができる。各掻取り体３の取付けは、接着剤やビス止め等、任意の手段によることができる。掻取り体３は、図１１（ａ）（ｂ）に示す板バネには限られず、コイルバネ状、チップ状、突起状、棒状、ブラシ状等、任意の形状のものとすることができる。また、掻取り体３の形状及び配置は、図１１（ａ）に示すものには限られず、その先端部を掻取り具１の回転方向（矢印方向）に傾斜させたものと、掻取り具１の回転方向と逆方向に傾斜させたものとを、回転ドラム１０の周方向に二個ずつ交互に取付けたり、全て回転方向に傾斜させたものとしたりする等、回転方向と逆方向に傾斜させたものと、回転方向に傾斜させたものと、いずれの方向にも傾斜させずに直板状としたものとを任意に組み合わせて、任意の形状及び配置で取付けることもできる。また、掻取り体３の傾斜角度も、全て同じとは限らず、全ての掻取り体の傾斜角度を異ならせたり、一部を異ならせたりすることもできる。
【００３２】
本実施形態の掻取り具１も、軸取付け孔４に回転軸を挿通させて取付けて、貝表面清浄機に用いる掃除具を形成することができる。また、回転ドラム１０の両端の蓋１１に回転軸が一体成形又は取付けられている場合は、掻取り具をそのまま掃除具として貝表面清浄機で用いることもできる。
【産業上の利用可能性】
【００３３】
本発明の掻取り具は、貝のみならず、他の円盤状の工業製品等の研磨にも応用することができる。
【図面の簡単な説明】
【００３４】
【図１】本発明の掻取り具の実施形態の一例を示す正面図。
【図２】図１に示す掻取り具を使用して形成した掃除具を示す斜視図。
【図３】（ａ）は、回転方向と逆方向に曲げられた掻取り体が貝に接触する様子を示す説明図。（ｂ）は、回転方向と同じ方向に曲げられた掻取り体が貝に接触する様子を示す説明図。
【図４】本発明の掻取り具の実施形態の他の一例（羽根を取付け体の外周面に一体成形したもの）を示す正面図。
【図５】本発明の掻取り具の実施形態の他の一例（取付け体の外周面にコイルバネを備えたもの）を示す正面図。
【図６】本発明の掻取り具の実施形態の他の一例（突起を取付け体の外周面に別個に取付けたもの）を示す正面図。
【図７】（ａ）は、本発明の掻取り具の実施形態の他の一例（無端ベルト）を示す正面図。（ｂ）は、（ａ）に示す掻取り具の使用の様子を示す斜視説明図。
【図８】（ａ）は、本発明の掻取り具の実施形態の他の一例（回転ドラムの外側面に突起を備えたもの）を示す斜視図。（ｂ）は、（ａ）に示す掻取り具の突起の様子を示す斜視説明図。（ｃ）は（ａ）に示す掻取り具の他の突起の様子を示す斜視説明図。
【図９】（ａ）は、本発明の掻取り具の実施形態の他の一例（回転ドラムの外側面にシートを巻いたもの）を示す斜視図。（ｂ）は、（ａ）に示す掻取り具の突起の様子を示す斜視説明図。（ｃ）は（ａ）に示す掻取り具の他の突起の様子を示す斜視説明図。
【図１０】図４（ａ）に示す掻取り具に用いられるシートの様子を示す斜視図。
【図１１】（ａ）は、本発明の掻取り具の実施形態の他の一例（回転ドラムの外側面に掻取り体を備えたもの）を示す斜視図。（ｂ）は、（ａ）に示す掻取り具の側面図。
【図１２】従来の貝表面清浄機の掃除具の様子を示す斜視図。
【符号の説明】
【００３５】
１  掻取り具
２  取付け体
３  掻取り体
４  軸取付け孔
５  開口部
６  連結部
７  外輪部
８  羽根
９  コイルバネ
１０  回転ドラム
１１  蓋
１２  突起
１３  シート
１４  取付けベルト
【図１】
2006043644.tif 000003
【図２】
2006043644.tif 000004
【図３】
2006043644.tif 000005
【図４】
2006043644.tif 000006
【図５】
2006043644.tif 000007
【図６】
2006043644.tif 000008
【図７】
2006043644.tif 000009
【図８】
2006043644.tif 000010
【図９】
2006043644.tif 000011
【図１０】
2006043644.tif 000012
【図１１】
2006043644.tif 000013
【図１２】
2006043644.tif 000014